(57)【要約】      （修正有）【課題】双肩にかかるリュックサックの全重量を低減する手段の提供。【解決手段】リュックサック１にネットジャケット３を着せ、次に堅固な腰ベルト２の背面部のフック６にネットジャケット３をかけ調整する。さらに重い場合には、加えて腰ベルト２の両サイドにある支点５を利用し、杖などをテコ４とし手腕や上体で押し下げると他方ネットジャケット３に挿入してある杖はリュックサック１を持ち上げることとなる。【選択図】図１
2006311984.tif 000002
【特許請求の範囲】
【請求項１】
リュックサックの重量の一部を腰ベルトの背面部に設けたフックでうける装置。
【請求項２】
腰ベルトの両サイドに支点をもうけ、テコを梶棒のごとく手腕と上体で押し下げることで、リュックサックを持ち上げその重量を前方に移動させる装置。
【発明の詳細な説明】
【発明の分野】
【０００１】  本発明はリュックサックの補助具として開発したものである、従がってリュックサックの技術分野と考えられる。
【背景技術】
【０００２】  現在のリュックサックは構造的にみると、主に布製の袋の中に荷物を入れ両肩で担ぎ易いように二本の肩かけベルトが付いていて背負い、肩に負担をかけつつ荷物を運ぶ手段であり道具である。
【発明の開示】
【発明が解決しようとする課題】
【０００３】  解決しようとする問題点は、リュックサックを背負った時、リュックサックの重量がすべて双肩の荷重となり、疲労と苦痛の根源となっている。この肩の荷重を軽減する方法はないものかが課題である。
【課題を解決するための手段】
【０００４】  人の動作や運動の中心は腰である。重い手荷物を持つときは両手に按分して持つ、荷物によっては振り分け荷物にしたり、天秤棒で前後に分けるかもしれない、このようにバランスをとることは自然であるし合理的である。しかし肩に荷重がかかり歩行、特に長距離には不利である。【０００５】  手腕に力の入っていないときは肩での力仕事はむずかしい、現在力仕事やスポーツはすべて丹田を含め腰が中心と考えられている、従がってリュックサックを背負って歩行するには、上半身の体重と上半身にかかっている全ての荷重を、最終的には腰で受けバランスをとったあとで、はじめて可能になる。【０００６】  即ちリュックサックの重量はいったん肩の荷重となる、次に骨や筋肉を経由して、腰の荷重へと転嫁される、その後バランスをとり動作や運動が始まる。    そこで、最初からリュックサックの重量を直接腰にシフトし、できるだけリュックサックの重量を肩の荷重としないこと、そして肩を経由させないことが課題解決につながる。【０００７】  基本となる腰の安全保護と強化を兼ねて腰ベルトをする、その上比較的軽いリュックサックの場合には腰ベルトに当たるリュックサックのネットを腰ベルトの背面部に設けたフックに引っ掛け調整し、リュックサックの重量を直接腰に移動させる、また重いリュックサックの場合には、これに加えて腰ベルトの腸骨上部付近に設けてある支点を用い、テコを梶棒よろしく押し下げることでネットに挿入してあるテコが背負っているリュックサックを持ち上げて肩の荷重を軽減し、歩行を容易にする利点がある。【０００８】  本発明の構成として、（１）腰ベルト、（２）ネットジャケット、（３）テコである、（１）腰ベルト  腰は力の集中する箇所なので保護と強化を兼ねて腰ベルトをする。角帯や締め込みなどをベースにし個々人に合わせて調節し、それなりの荷重に耐えうるものとする、腰ベルトの背面部にはネットをかけるフックをまた両サイド腸骨上部付近には支点となるテコ受けのフックを設ける。【０００９】（２）ネットジャケット  リュックサックとフックやテコとを結ぶ役目を担う。
最近のリュックサックは大きさ形ともいろいろであるがしっかり捉えるためにリュックサックにネットを着せる、着丈は最低底面から腰まであればよい、網目の大きさはテコが容易に入ること。ただし注意すべきはリュックサックの底部とネットとのずれが生じない様にすること。【００１０】（３）テコ  テコの後方をリュックサックのネットに差し込み支点を経て前方を手腕と上体であたかも梶棒を押し下げる様にし、リュックサックの持ち上げに供するもので、杖、ストック、ピッケル、バー、梶棒など、どの組み合わせでもよい。リヤカーの梶棒を考えると片手での操作ができる。またテコの引き出し竿化しリュックサックと一体化も可能である。
【発明の効果】
【００１１】  リュックサックの全重量は双肩にかかっていたが、フックの利用並びにテコを押し下げることによって、肩にかかる荷重が減少する、またそのことにより前傾姿勢が浅くなり、また辛さも緩和される。一方そうすることによる荷重や負担であるが、力の方向性がよくなり無理が少なくなる。このように  本発明は肩にかかる荷重を軽減し、姿勢をより自然に戻し、歩行を補正して、歩行をより容易にする利点が生ずる。
【図１】
2006311984.tif 000003
【図２】
2006311984.tif 000004
【手続補正書】
【提出日】平成17年6月15日(2005.6.15)
【手続補正１】
【補正対象書類名】明細書
【補正対象項目名】０００７
【補正方法】変更
【補正の内容】
【０００７】  リュックサックの重量を直接腰に、シフトする方法として、比較的軽いリュックサックの場合には（１）背中と合う部分のリュックサックに約１０センチメートル幅のネット又はマジックテープを底面から腰の部位まで固定する。（２）一方ズボンのベルトに挿入装着できるベルトカバーには、ネットのかかる、針金状、板状、ボタン状のひっかかりがあり、またマジックテープにたいする部位にはマジックテープの密着部がある。（３）リュックサックを少し吊る感じに調節しつつリュックサックの重量を直接腰にシフトする、（４）また重いリュックサックの場合には、以上に加えて少々堅固な腰ベルトをする、その両サイドには支点となるテコ用フックがある。（５）ネットジャケットのサイド又は１０センチメートル幅で設けたサイドネットにテコを差込み支点を介し前方を押し下げるとネットに挿入されてるテコが背負っているリュックサックを持ち上げて肩の荷重を軽減し、歩行を容易にする利点を生ずる。
【手続補正２】
【補正対象書類名】明細書
【補正対象項目名】０００８
【補正方法】変更
【補正の内容】
【０００８】    本考案の構成として、（１）腰ベルト、（２）ネットジャケット、（３）テコである、（１）腰ベルト  腰は力の集中する箇所なので保護と強化を兼ねて腰ベルトをする。角帯や締め込みなどをベースにし個々人に合わせて下地を調整し、それなりの荷重に耐えうるものとする、その上に腰ベルトをする、腰ベルトの背面部にはリュックサックの重さを受けるフック（線状、板状、ボタン状、マジックテープ状等）があり、また両サイド腸骨付近にはテコの支点となるテコ受けのフックを設ける。
また腰ベルトの背面フック部を取り外し、軽いリュックサック用として、通常のズボン用ベルトに挿入して用いることもできる。
【手続補正３】
【補正対象書類名】明細書
【補正対象項目名】０００９
【補正方法】変更
【補正の内容】
【０００９】  （２）ネットジャケット  リュックサックとフックやテコとを結ぶ役目を担う。最近のリュックサックは大きさ形ともいろいろであるがしっかり捉えるためにリュックサックにネットジャケットを着せ、ずれない様に固定する。ネットの着丈は最低底面から腰の部位までで、網目の大きさはテコが容易に入ること。またジャケット状にせず約１０センチメートル幅で底面から腰までの長さのものを３本リュックサックの両サイドと背中面に固定しても良い。さらに背面部のネットはマジックテープに置換しても併用しても良い。リュックサック全体と身体とを密着、固定させるのに、このネットジャケットは有効である。
【手続補正書】
【提出日】平成17年7月27日(2005.7.27)
【手続補正１】
【補正対象書類名】明細書
【補正対象項目名】全文
【補正方法】変更
【補正の内容】
【発明の詳細な説明】
【発明の分野】
【０００１】  本発明はリュックサックの補助具として開発したものである、従がってリュックサックの技術分野と考える。
【背景技術】
【０００２】  現在のリュックサックは構造的にみると、布製の袋の中に荷物を入れ両肩で担ぎ易いように二本の肩かけベルトが付いていて背負い、肩に負担をかけつつも荷物を運ぶ手段であり道具である。
【発明の開示】
【発明が解決しようとする課題】
【０００３】  解決しようとする問題点は、リュックサックを背負った時、リュックサックの重量がすべて双肩の荷重となり、歩行が長時間になると、疲労と苦痛の根源となっている。この肩への荷重を軽減出来ると楽に歩行が続けられる、この方法はないものかが課題である。
【課題を解決するための手段】
【０００４】  人の動作や運動の中心は腰である。重い手荷物を持つときは両手に按分して持つ、荷物によっては振り分けたり、天秤棒で前後に分けるかもしれない、このようにバランスをとることは自然であるし合理的である。しかし肩に荷重がかかったままでの歩行は苦痛を伴うし、特に長距離、長時間の歩行には不向きである。【０００５】  牛馬をみてもわかる様に、前肢即ち手腕に力の入っていないときは肩での力仕事はむずかしい、立ち上がった人間の力仕事やスポーツはすべて丹田を含め腰が中心である、通常歩行する場合には、上半身の体重と上半身にかかっている全ての荷重を腰で受け、次にバランスをとり、そのあとで、はじめて歩行が可能になる。【０００６】  即ちリュックサックの重量はいったん肩への荷重となる、次に骨や筋肉を経由して、腰の荷重へと転嫁される、その後身体全体のバランスをとり歩行が始まる。    それならば最初からリュックサックの重量を、肩を経由させないで、直接腰にシフトさせることが出来ないだろうか、このことが出来れば課題解決につながる。【０００７】  重量の移動にはまずリュックサックを腰と接合させねばならない、そのためには背負ったリュックサックと腰ベルトを接合しなければならない、その接合のためのファスナーとして、カギフックとネット、ボタンとネット、面ファスナー（例えば商品名マジックテープ）がある。このファスナーの目的は簡単に出来る接合と調節機能にある。【０００８】  腰ベルトと出合うリュックサック面の腰部位から底面に向けて堅牢で、フックやボタンに合った網目のネット又は面ファスナーを縦長に固定する、サイズは約１０．０ｘ２０．０センチメートルで良い。  ベルトに固定する相方のファスナーにはカギフックやボタンや面ファスナーとし、強度はリュックサックの大きさなどで決めるが、例えば２０キログラムのリュックサックの場合で重量を受ける面ファスナーなら約６．０ｘ９．０センチメートルでよい。【０００９】  用法としては従来どおりリュックサックを背負ったあと、リュックサックの底部を少し持ち上げた状態でファスナーを接合させるとリュックサックの重量は簡単に腰へと移動し、肩の荷重が軽減される、  なお必要に応じ調節をする。【００１０】  更に重いリュックサックの場合には、腰ベルトの両サイドにフックを設けて、ここを支点とするテコを考える。テコの前方を身体の前に出し手や腕で上半身の体重をかけることで、テコの後方のリュックサックを持ち上げ、結果として肩への荷重が減少する。  テコの形状は問わない。【００１１】  リュックサックには底面を含む腰部以下に、堅牢でテコの入る網目のネット製のジャッケトを着せ底面部を固定するか、または幅３．０センチメートル程度のテープをリュックサックの底面を通って両サイドの腰部までのばし、固定する。
両サイドの上端部にはテコを挿入保持出来る様テープで輪を作ったテコ受けがあるが、さらにテープに副って３センチメートルの間隔をおいて３ケ乃至４ケの同様テコ受けを設けて、テコとして作用し易いよう位置の調節に資する。【００１２】  ネットジャケットを着せた場合テコの後方をネットジャケットのサイドに挿入し支点を経てテコの他方を身体の前方へ、その先端部を上方から手腕にて上半身の体重をかけると、ネットジャケットと一緒にリュックサックが少し持ちあがり、肩の荷重が減少する。
【発明の効果】
【００１３】  約２０キログラム以下の比較的軽いリュックサックの場合にはテコの必要はなく、ファスナーだけで、肩の荷重を充分軽減出来て、いままでにない軽快な歩行が出来る。【００１４】  重いリュックサックの場合にはファスナーとテコの双方を用いる事によって、肩にかかる荷重をいとも簡単に減少させることが出来る、またテコを用いることにより前傾姿勢も浅くなり、辛さも緩和される。力の方向性もよくなり無理が少なくなる。このように  本発明は肩にかかる荷重を軽減し、姿勢を補正して、歩行をより軽快にする効果が生ずる。
【図面の簡単な説明】
【００１５】
【図１】  本発明装置を装備し、背負ったリュックサック（１）の腰部位より底面にかけてのネットジャケット（３）の様子とテコ（４）をセットした外観図
【図２】  腰ベルト（２）の模式的なもので、背面部のファスナー（６）の位置と両サイドの支点フック（５）の位置を示す外観図
【符号の説明】
【００１６】    １          リュックサック
２          腰ベルト
３          ネットジャッケト
４          テコ
５          テコ受けフック
６          網受けフック